(57)【要約】【課題】商品をなるべく安く購入したいという購入者の欲求と、市場の価格競争に巻き込まれたくないという販売者の欲求と、を満たすことが可能な価格決定システムおよび価格決定方法を提供する。【解決手段】管理部３ａは、期間情報にて表される期間中、購入者端末５から、注文と識別情報を受け付けるたびに、注文と識別情報を、注文の受付順と関連づけて、記憶装置２に格納する。価格決定部３ｂは、期間情報にて表される期間が終了すると、注文に適用される商品の割引率を決定する。その際、価格決定部３ｂは、注文に適用される商品の割引率を、その注文に関連づけられた受付順が早いほど高くし、かつ、その割引率を、注文が多くなるほど、例えば、注文された商品の個数の合計が多くなるほど、高くする。【選択図】図１
2008097102.tif 000002
【特許請求の範囲】
【請求項１】
販売者端末から商品情報を受け付け、購入者端末に前記商品情報を提供し、前記購入者端末から前記商品に対する注文を受け付ける処理装置と、前記処理装置と接続する記憶装置と、を含む価格決定システムであって、
前記処理装置は、
前記注文を受け付けるたびに、前記注文を受け付けた順番を管理し、前記注文を、該注文を受け付けた順番と関連づけて、前記記憶装置に格納する管理部と、
前記注文に適用される前記商品の割引率を、前記注文に関連づけられた順番が早いほど高くする価格決定部と、を含む、価格決定システム。
【請求項２】
請求項１に記載の価格決定システムにおいて、
前記管理部は、前記販売者端末から、前記注文を受け付ける期間を表す期間情報を受け付け、前記期間情報にて表される期間中、前記注文を受け付けるたびに、前記注文を受け付けた順番を管理し、前記注文を、該注文を受け付けた順番と関連づけて、前記記憶装置に格納し、
前記価格決定部は、前記期間情報にて表される期間が終了した場合に、前記注文に適用される前記割引率を決定する、価格決定システム。
【請求項３】
請求項１または２に記載の価格決定システムにおいて、
前記価格決定部は、前記注文に適用される前記割引率を、前記注文が多くなるほど高くする、価格決定システム。
【請求項４】
販売者端末から商品情報を受け付け、購入者端末に前記商品情報を提供し、前記購入者端末から前記商品に対する注文を受け付ける処理装置と、前記処理装置と接続する記憶装置と、を含む価格決定システムが行う価格決定方法であって、
前記処理装置が、前記注文を受け付けるたびに、前記注文を受け付けた順番を管理し、前記注文を、該注文を受け付けた順番と関連づけて、前記記憶装置に格納する管理ステップと、
前記処理装置が、前記注文に適用される前記商品の割引率を、前記注文に関連づけられた順番が早いほど高くする価格決定ステップと、を含む価格決定方法。
【発明の詳細な説明】
【技術分野】
【０００１】
本発明は、価格決定システムおよび価格決定方法に関し、特には、ネットワークを介して商品の注文を受け付けて商品の価格を決定する価格決定システムおよび価格決定方法に関する。
【背景技術】
【０００２】
従来、インターネット等のネットワークを介して商品の注文を受け付ける電子商取引システムが知られている。
【発明の開示】
【発明が解決しようとする課題】
【０００３】
商品の購入者は、商品をなるべく安く購入したいという欲求を持っている。また、商品の販売者は、市場の価格競争に巻き込まれたくないという欲求を持っている。
【０００４】
現在、購入者と販売者の両方の欲求を満たすことが可能な装置が望まれている。
【０００５】
本発明の目的は、商品をなるべく安く購入したいという購入者の欲求と、市場の価格競争に巻き込まれたくないという販売者の欲求と、を満たすことが可能な価格決定システムおよび価格決定方法を提供することである。
【課題を解決するための手段】
【０００６】
上記目的を達成するために、本発明の価格決定システムは、販売者端末から商品情報を受け付け、購入者端末に前記商品情報を提供し、前記購入者端末から前記商品に対する注文を受け付ける処理装置と、前記処理装置と接続する記憶装置と、を含む価格決定システムであって、前記処理装置は、前記注文を受け付けるたびに、前記注文を受け付けた順番を管理し、前記注文を、該注文を受け付けた順番と関連づけて、前記記憶装置に格納する管理部と、前記注文に適用される前記商品の割引率を、前記注文に関連づけられた順番が早いほど高くする価格決定部と、を含む。
【０００７】
また、本発明の価格決定方法は、販売者端末から商品情報を受け付け、購入者端末に前記商品情報を提供し、前記購入者端末から前記商品に対する注文を受け付ける処理装置と、前記処理装置と接続する記憶装置と、を含む価格決定システムが行う価格決定方法であって、前記処理装置が、前記注文を受け付けるたびに、前記注文を受け付けた順番を管理し、前記注文を、該注文を受け付けた順番と関連づけて、前記記憶装置に格納する管理ステップと、前記処理装置が、前記注文に適用される前記商品の割引率を、前記注文に関連づけられた順番が早いほど高くする価格決定ステップと、を含む。
【０００８】
上記発明によれば、注文に適用される商品の割引率は、その注文に関連づけられた注文の受付順が早いほど、高くなる。
【０００９】
このため、購入者は、注文を早く出すことによって、商品をなるべく安く購入することが可能になる。
【００１０】
また、注文順に応じて商品の価格が変動するため、販売者は、市場の動向に応じて商品の価格を下げなければならないような市場の価格競争を避けることができる。
【００１１】
また、商品に人気があれば、商品をなるべく安く購入しようとする活動（注文）が活発になる。このため、販売者は、早い段階で、商品に対する市場の反応を知ることが可能になる。
【００１２】
なお、前記管理部は、前記販売者端末から、前記注文を受け付ける期間を表す期間情報を受け付け、前記期間情報にて表される期間中、前記注文を受け付けるたびに、前記注文を受け付けた順番を管理し、前記注文を、該注文を受け付けた順番と関連づけて、前記記憶装置に格納し、前記価格決定部は、前記期間情報にて表される期間が終了した場合に、前記注文に適用される前記割引率を決定することが望ましい。
【００１３】
上記発明によれば、注文を受け付ける期間が終了した時点で、商品の割引率すなわち商品の価格が決定される。このため、例えば、注文された商品の数に応じて、商品の価格を決定することが可能となる。
【００１４】
また、前記価格決定部は、前記注文に適用される前記割引率を、前記注文が多くなるほど高くすることが望ましい。
【００１５】
上記発明によれば、人気の出る商品を早く見つけて注文を出した購入者に、高い割引率が適用される。このため、市場の牽引役となった購入者に対して、高い割引率という報奨を与えることが可能になる。
【発明の効果】
【００１６】
本発明によれば、商品をなるべく安く購入したいという購入者の欲求と、市場の価格競争に巻き込まれたくないという販売者の欲求と、を満たすことが可能になる。
【００１７】
購入者は、注文を早く出すことによって、商品をなるべく安く購入することが可能になる。
【００１８】
このため、購入者は、早く注文を出そうとする。購入者は、早く注文を出すために、商品に関する情報を早期に収集して、商品の市場価値（例えば、商品・サービスの信頼性、最終的な人気または販売数）を見極め、市場価値が高い商品に対して早期に注文を出そうとする。
【００１９】
この心理が多くの購入者に生じるため、商品に市場価値があるか否かの判断のスピードが上がり、また、その判断結果が商品の注文数として集約される。よって、本来、人の情報や感情が決定している「商品・サービスの信頼性」が早く構築され、このため、商品の未来を予測することが可能になる。
【００２０】
販売者は、新しい商品（サービスを含む）に対して低コストでプレマーケティングでき、また、価格競争を回避できる。
【発明を実施するための最良の形態】
【００２１】
以下、本発明の実施例を図面を参照して説明する。
【００２２】
図１は、本発明の一実施例の価格決定システムを示したブロック図である。
【００２３】
図１において、価格決定システム１は、記憶装置２と、サーバ３とを含む。
【００２４】
記憶装置２は、ハードディスク等の記録媒体を含む。なお、記憶装置２は、サーバ３に内蔵されてもよい。
【００２５】
サーバ３は、処理装置の一例であり、例えば、コンピュータおよびメモリにより構成される。
【００２６】
サーバ３は、管理部３ａと、価格決定部３ｂとを含む。管理部３ａと価格決定部３ｂは、例えば、サーバ３内のメモリ（コンピュータにて読み取り可能な記録媒体）にサーバ３の動作を規定するプログラムが記録され、サーバ３内のコンピュータがそのプログラムを読み取り実行することによって、実現される。
【００２７】
サーバ３は、販売者である出品者Ｘにて使用される端末（以下「販売者端末」と称する。）４と、購入者であるユーザＹ１ないしＹＮにて使用される複数の端末（以下「購入者端末」と称する。）５１ないし５Ｎと、通信回線の一例であるインターネットを介して、通信可能である。
【００２８】
販売者端末４は、例えば、ＰＣ（パーソナルコンピュータ）またはモバイル端末である。
【００２９】
販売者端末４は、出品者Ｘから、商品に関する情報を受け付ける。
【００３０】
なお、商品に関する情報は、商品情報、注文開始日、注文確定日、販売個数上限値（Ｎｍａｘ）、基準販売個数（Ｎｘ）、および、基準販売金額（Ｐｘ）からなる。また、商品情報は、商品の定価（Ｐｐ）、商品の名称、および、商品の特徴を表す特徴情報を含む。また、注文開始日と注文確定日とで、注文を受け付ける期間を表す期間情報を構成する。
【００３１】
販売者端末４は、商品に関する情報を受け付けると、その商品に関する情報を、サーバ３に提供する。サーバ３の管理部３ａは、販売者端末４から提供された商品に関する情報を、記憶装置２に格納しＷＥＢ上で公開する。
【００３２】
購入者端末５１ないし５Ｎは、例えば、ＰＣまたはモバイル端末であり、共通の機能を有する。以下では、説明の重複を避けるために、購入者端末５１の機能のみを説明する。
【００３３】
購入者端末５１は、ユーザＹ１による操作にしたがって、サーバ３で公開されている商品に関する情報をサーバ３に要求する。サーバ３の管理部３ａは、その要求に応じて、商品に関する情報を購入者端末５１に提供する。購入者端末５１は、その提供された商品に関する情報を表示する。
【００３４】
購入者端末５１は、商品に関する情報にて特定される商品に対する注文（注文個数）と、ユーザＹ１の識別情報（例えば、ユーザＹ１の名前と連絡先）とを、ユーザＹ１から受け付け、その注文および識別情報をサーバ３に提供する。
【００３５】
サーバ３の管理部３ａは、注文と識別情報を受け付けるたびに、注文を受け付けた順番（以下「受付順」と称する。）を管理し、その注文と識別情報を、その注文の受付順と関連づけて、記憶装置２に格納する。
【００３６】
例えば、管理部３ａは、カウンタを有し、このカウンタを用いて、以下のように注文の受付順を管理する。
【００３７】
管理部３ａは、注文の受付開始前にそのカウンタをクリヤする。その後、管理部３ａは、注文と識別情報を受け付けるたびに、そのカウンタの値を「１」だけ増やすとともに、その増やされたカウンタの値（受付順）を、受け付けられた注文および識別情報と関連づけて、記憶装置２に格納していく。
【００３８】
本実施例では、管理部３ａは、現在の日時を計時し、また、販売者端末４から、注文を受け付ける期間を表す期間情報を受け付け、その期間情報にて表される期間中、注文と識別情報を受け付けるたびに、その注文の受付順を管理し、注文と識別情報を、その注文の受付順と関連づけて、記憶装置２に格納する。
【００３９】
図２は、記憶装置２に格納された情報の一例を示した説明図である。
【００４０】
図２において、記憶装置２には、識別情報２ａ（ユーザ名２ａ１と連絡先２ａ２）と注文個数（注文）２ｂとが、注文の受付順２ｃに関連づけて格納される。
【００４１】
図１に戻って、価格決定部３ｂは、注文に適用される商品の割引率を、その注文に関連づけられた受付順が早いほど高くする。
【００４２】
本実施例では、価格決定部３ｂは、期間情報にて表される期間が終了すると、注文に適用される商品の割引率を決定する。
【００４３】
また、価格決定部３ｂは、注文に適用される割引率を、注文が多くなるほど、例えば、注文された商品の個数の合計が多くなるほど、高くする。
【００４４】
価格決定部３ｂは、注文ごとに割引率を決定すると、その割引率に基づいて、注文ごとに商品の価格を決定し、その価格を、注文を出した各ユーザに通知する。
【００４５】
図３は、価格決定システム１の動作を説明するための説明図である。以下、図３を参照して、価格決定システム１の動作を説明する。
【００４６】
ステップＳ１では、出品者Ｘが、販売者端末４を操作して、商品に関する情報をサーバ３に入力する。
【００４７】
サーバ３の管理部３ａは、販売者端末４から提供された商品に関する情報を、記憶装置２に格納しＷＥＢ上で公開する。
【００４８】
管理部３ａは、現在の日時が、商品に関する情報に含まれる注文開始日になると、その商品に対する注文の受付を開始する。
【００４９】
その後、ステップＳ２では、ユーザＹが、購入者端末５を操作して、商品に関する情報をサーバ３から取得し、その情報を参照してから、再度、購入者端末５を操作して、公開された商品に対して注文を入れる（なお、注文を入れた時点では最終購入価格は未定）。
【００５０】
このとき、購入者端末５は、注文（注文個数）とユーザＹの識別情報（ユーザＹの名前と連絡先）をユーザＹから受け付け、その注文および識別情報をサーバ３に提供する。
【００５１】
その後、ステップＳ３では、サーバ３の管理部３ａは、注文とユーザＹの識別情報を受け付けるたびに、注文を受け付けた順番を管理し、注文と識別情報を、その注文の受付順と関連づけて、記憶装置２に格納する（図２参照）。
【００５２】
その後、ステップＳ４では、現在の日時が、商品に関する情報に含まれる注文開始日になると、管理部３ａは、注文の受付を中止し、価格決定部３ｂに確定信号を提供する。価格決定部３ｂは、確定信号を受け付けると、すなわち、注文を受け付ける期間が終了すると、記憶装置２を参照して、注文された商品の個数（総数）ｎを確定する。
【００５３】
その後、ステップＳ５では、価格決定部３ｂは、記憶装置２を参照する。
【００５４】
その後、ステップＳ６では、価格決定部３ｂは、注文された商品の個数ｎと、注文の受付順と、に基づいて、注文ごとに、商品の価格を決定する。
【００５５】
具体的には、価格決定部３ｂは、注文に適用される割引率を、注文に関連づけられた受付順が早いほど高くする。また、価格決定部３ｂは、注文に適用される割引率を、注文が多くなるほど、例えば、注文された商品の個数の合計が多くなるほど、高くする。
【００５６】
例えば、価格決定部３ｂは、注文された商品の個数ｎが、商品に関連する情報に含まれる基準販売個数以上であると、図４（ａ）に示すグラフを描く独自関数「価格Ｐ＝ｆ１（受付順）」に基づいて、注文ごとに、商品の価格を決定する。
【００５７】
また、価格決定部３ｂは、注文された商品の個数ｎが、基準販売個数未満であると、図４（ｂ）に示すグラフを描く独自関数「価格Ｐ＝ｆ２（受付順）」に基づいて、注文ごとに、商品の価格を決定する。
【００５８】
独自関数「価格Ｐ＝ｆ１（受付順）」と独自関数「価格Ｐ＝ｆ２（受付順）」にしたがうと、受付順が早くなるほど（本実施例では、受付順の数値が小さくなるほど）、割引率が高くなって、価格Ｐが低くなる。
【００５９】
また、共通の受付順に対応する価格は、独自関数「価格Ｐ＝ｆ１（受付順）」の方が独自関数「価格Ｐ＝ｆ２（受付順）」より低くなる。よって、注文に適用される割引率は、例えば、注文された商品の個数の合計が多くなるほど、高くなる。
【００６０】
その後、ステップＳ７では、価格決定部３ｂは、商品の価格を、注文ごとに、記憶装置２に格納する。
【００６１】
図５は、記憶装置２に格納された商品の価格の一例を示した説明図である。
【００６２】
図５において、記憶装置２には、商品の価格５ａが、識別情報２ａと注文個数（注文）２ｂと関連づけて格納されている。
【００６３】
その後、ステップＳ８では、価格決定部３ｂは、商品の価格と、その価格と関連づけられた連絡先とを、記憶装置２から読み出す。
【００６４】
その後、ステップＳ９では、価格決定部３ｂは、その連絡先に、その連絡先と関連づけられた商品の価格（購入価格）を通知する。
【００６５】
その後、ステップＳ１０では、価格決定部３ｂは、販売者端末４に、ユーザの注文情報を通知する。
【００６６】
本実施例によれば、ユーザがＷＥＢ上で公開された商品を購入可能なシステムにおいて、ユーザが注文した時点では購入価格が未定で、最終注文個数によりユーザごとに価格が決定し、その際に、注文が早いユーザから順に注文個数が増した場合の割引率が高くなる。
【００６７】
このため、商品の最終人気度合い（人気が高ければ多く売れること）をいち早く予測して注文を入れたユーザが、割引率の高い価格で商品を購入できる。
【００６８】
また、最初に注文を入れたユーザ、または、早い段階で注文を入れたユーザが、商品の情報を集め、その商品のレビューを書けば、商品に対しての急進的信頼性が構築でき、最終的に人気が予測できる商品には、多くの注文が入ることが予想される。このため、例えば、メーカーなどの出品者は、人気の商品を世に出すことの一層の波及性を期待できる。
【００６９】
一方、昨今精度が高まる消費者の情報を基に商品が厳選され、上記の心理を基に注文が入るため、人気商品（良い商品）は一層良く売れ、人気がない商品（悪い商品）はより一層売れなくなる。
【００７０】
これにより、各社の企業努力が増し、また本件結果（レビュー含む）を元にマーケティングや商品開発が向上し、一層人気がある商品が生まれる可能性が高くなり、経済に好影響を及ぼすことが可能となる。
【００７１】
また、各ユーザへ一律の割引率を適応せず、注文が早いユーザから順に割引率を上げるため、つまり、市場の牽引役には割引率を上げるため、販売者は、市場の価格競争等の『価格』という軸での競争を避けることができ、メーカーも秩序ある市場最適な一定の利益確保が可能である。
【００７２】
ユーザには、基本欲求としての『得をしたい』という気持ちから、正確な情報を早く入手し、できるだけ正確に最終販売個数を予測しようという心理が働く。
【００７３】
また、これらの情報が共有されることで、この心理の連鎖と情報の精度が増す。このため、当該注文に関しての急進的信頼性が構築され、未知の商品に対しての信頼や人気が形成される。
【００７４】
メーカーは、より消費者の心を揺さぶる魅力的な商品を開発すべきとなる。
【００７５】
本実施例によれば、以下の効果を奏する。
【００７６】
注文に適用される商品の割引率は、その注文に関連づけられた注文の受付順が早いほど、高くなるため、購入者は、注文を早く出すことによって、商品をなるべく安く購入することが可能になる。
【００７７】
また、注文順に応じて商品の価格が変動するため、販売者は、市場の動向に応じて商品の価格を下げなければならないような市場の価格競争を避けることができる。
【００７８】
また、商品に人気があれば、商品をなるべく安く購入しようとする活動（注文）が活発になる。このため、販売者は、早い段階で、商品に対する市場の反応を知ることが可能になる。
【００７９】
また、注文を受け付ける期間が終了した時点で、商品の割引率すなわち商品の価格が決定されるため、例えば、注文された商品の数に応じて、商品の価格を決定することが可能となる。
【００８０】
また、注文に適用される割引率は、注文が多くなるほど高くなるため、人気の出る商品を早く見つけて注文を出した購入者に、高い割引率が適用される。このため、市場の牽引役となった購入者に対して、高い割引率という報奨を与えることが可能になる。
【００８１】
以上説明した実施例において、図示した構成は単なる一例であって、本発明はその構成に限定されるものではない。
【００８２】
例えば、商品に関する情報は、注文開始日、注文確定日、最大販売数（定数）Ｘ２（１＜Ｘ２）、最大販売数時の平均単価（定数）Ｐ２（０＜Ｐ２＜Ｐｍａｘ）、定価（定数）Ｐｍａｘ（Ｐ２＜Ｐｍａｘ）および価格差率Ｈ（０＜Ｈ＜１）からなってもよい。
【００８３】
また、価格決定部３ｂは、商品の価格を決定する独自関数として、図４に示したような受付順の数値が大きくなるにつれて、商品の価格が曲線的に増加する関数を用いずに、受付順の数値が大きくなるにつれて、商品の価格が直線的に増加する関数（以下「直線独自関数」と称する。）を用いてもよい。
【００８４】
さらに、価格決定部３ｂは、予め、商品の注文数ごとに、直線独自関数を格納しておき、実際の商品の注文数が確定した後、その確定した注文数に応じた直線独自関数を用いて、商品の価格を決定してもよい。この場合、各直線独自関数は、注文数が多くなるほど、商品の平均単価が下がるように設定されていることが望ましい。
【図面の簡単な説明】
【００８５】
【図１】本発明の一実施例の価格決定システムを示したブロック図である。
【図２】記憶装置２に格納された情報の一例を示した説明図である。
【図３】価格決定システム１の動作を説明するための説明図である。
【図４】価格を決めるための独自関数の一例を示した説明図である。
【図５】記憶装置２に格納された商品の価格の一例を示した説明図である。
【符号の説明】
【００８６】
１      価格決定システム
２      記憶装置
３      サーバ
３ａ    管理部
３ｂ    価格決定部
４      販売者端末
５１〜５Ｎ  購入者端末
【図１】
2008097102.tif 000003
【図２】
2008097102.tif 000004
【図３】
2008097102.tif 000005
【図４】
2008097102.tif 000006
【図５】
2008097102.tif 000007